(57)【要約】【課題】設置場所に囚われず最適な受信状態を得ることができる受信装置を提供する。【解決手段】ホット側アンテナとして機能する長さ方向への伸縮が可能なロッドアンテナ２ａと、一端が接地されて地線側アンテナとして機能する長さ方向への伸縮が可能なロッドアンテナ２ｂと、受信装置１の筐体ケースの外周面のうちの同一平面上に設けられ、当該平面を支持面αとして各アンテナ２ａ，２ｂを回転自在に支持し、且つ各アンテナ２ａ，２ｂの支持面αに対する角度を変更自在に支持する支持部３ａ，３ｂとを設ける。【選択図】        図１
2004312172.tif 000002
【特許請求の範囲】
【請求項１】
長さ方向への伸縮が可能なロッドアンテナからなり、給電線と接続するホット側アンテナと、
長さ方向への伸縮が可能なロッドアンテナからなり、一端が接地された地線側アンテナと、
外周面のうちの同一平面上に設けられ、当該平面を支持面として上記各アンテナを回転自在に支持し、且つ上記各アンテナの上記支持面に対する角度を変更自在に支持する支持部と
を備えた受信装置。
【請求項２】
支持面は、装置が配置される側の外周面と平行であることを特徴とする請求項１記載の受信装置。
【発明の詳細な説明】
【０００１】
【発明の属する技術分野】
この発明は屋内外に設置される無線通信の受信装置に係り、特に設置環境に応じてアンテナ特性を調整することができる受信装置に関するものである。
【０００２】
【従来の技術】
一般的に、ラジオなどのロッドアンテナを用いた従来の受信装置では、当該ロッドアンテナが１／４波長垂直設置アンテナとして機能することを想定して構成されている。しかしながら、当該アンテナのアース側は、装置の筐体ケースなどによって接地されており、大地に接地される訳ではない。このため、上記受信装置では、筐体ケースのアースが不十分であることに起因して等価的なダイポール特性が得られず、その設置場所などによってアンテナの利得が変動しやすいという不具合があった。
【０００３】
このような不具合を解消するための技術として、例えば特許文献１に開示される受信装置がある。この受信装置では、受信電界強度が強い場合、ロッドアンテナにて電波を受信するが、受信電界強度が弱いと、外部アンテナ用のジャックにラジアルを接続する。これにより、ロッドアンテナを含むアンテナ部の受信感度をダイポールアンテナと同等に高めることができる。
【０００４】
この他に、１本のロッドアンテナの基部に別のロッドアンテナを取り付けることで、水平偏波及び／又は垂直偏波の送信波に対する受信感度を高めた受信装置もある（例えば、特許文献２参照）。
【０００５】
【特許文献１】
特開平１１−１２７００９号公報
【特許文献２】
実用新案登録第３０４８５３５号公報
【０００６】
【発明が解決しようとする課題】
特許文献１に示す従来の受信装置では、設置環境によってラジアルを接続しても十分なダイポール特性が得られないという課題があった。
【０００７】
つまり、実際の設置環境においては、アンテナの方向や設置壁面との距離などによって相互インピーダンスやアンテナの回転パターンが変化する場合がある。このため、最適な受信特性を得るためには、これらの変化要因となるパラメータを調節する必要がある。しかしながら、ロッドアンテナが固定的に支持される特許文献１のような従来の受信装置では、アンテナの可動域が狭いため十分な調節をすることができない場合がある。
【０００８】
また、特許文献２の受信装置においても、Ｌ字型やＶ字型にロッドアンテナ間の角度を調整することができるが、最適な受信特性を得るためにはアンテナの調整に要する自由度が不十分である。例えば、特許文献２の受信装置では、アンテナ間の相互インピーダンスの変化やアンテナの回転パターンの変化の要因となるパラメータである設置面からアンテナまでの距離（空中線と反射物体との間の距離に相当する）を調整することができない。このように、最適なアンテナ特性を得るにはアンテナに関する様々なパラメータを調節することができなければならないところ、これを可能とする受信装置は提案されていなかった。
【０００９】
ここで、上述のようなロッドアンテナを使用せず、既存のダイポールアンテナを用いることも考えられる。しかしながら、アンテナ長が半波長などに固定されるため、共振周波数を変更すると、これに応じたアンテナ長のものを用意する必要がある。また、固定されたアンテナ長を収納可能な空間を要し、設置場所や収納場所が制限される場合がある。さらに、水平偏波や垂直偏波を受信する場合の受信特性を改善することはできるが、それ以外の偏波状態については十分な受信特性を得ることができない。このため、一度固定的に設置されてしまうと、設置場所によっては十分な受信状態を得ることができないことが予想される。
【００１０】
この発明は上記のような課題を解決するためになされたもので、ダイポールアンテナのホット側及びアース側として機能する伸縮自在・角度・方向調整可能なロッドアンテナを設けたことで、設置場所に囚われず最適な受信状態を得ることができる受信装置を得ることを目的とする。
【００１１】
【課題を解決するための手段】
この発明に係る受信装置は、長さ方向への伸縮が可能なロッドアンテナからなり、給電線と接続するホット側アンテナと、長さ方向への伸縮が可能なロッドアンテナからなり、一端が接地された地線側アンテナと、外周面のうちの同一平面上に設けられ、当該平面を支持面として各アンテナを回転自在に支持し、且つ各アンテナの支持面に対する角度を変更自在に支持する支持部とを備えるものである。
【００１２】
【発明の実施の形態】
実施の形態１．
図１はこの発明の実施の形態１による受信装置の概要を示す斜視図である。本実施の形態による受信装置１には、その筐体の外周面のうちの１面（図１中のα面（支持面））上に支持部３ａ，３ｂを介してロッドアンテナ２ａ，２ｂが設けられている。ロッドアンテナ２ａ，２ｂは、その長さ方向に伸縮自在である。これにより、受信周波数が変更されてもアンテナ長Ａを変更することによって受信感度を調節することができる。また、当該受信装置１の未使用時には、ロッドアンテナ２ａ，２ｂのアンテナ長Ａを短くすることができることから、設置場所や収納場所に対する制限を軽減することもできる。
【００１３】
支持部３ａ，３ｂは、ロッドアンテナ２ａ，２ｂをα面上での回転が自在になるように支持すると共に、α面からその法線方向への角度Ｂ（α面に対する角度）の変更をも可能に支持する。支持部３ａ，３ｂとしては、例えばロッドアンテナ２ａ，２ｂを軸ビスで回転台座に取り付けた機構のものが考えられる。
【００１４】
このような構成とすることで、偏波に対して適切な状態にロッドアンテナ２ａ，２ｂの方向Ｃを変更したり、ロッドアンテナ２ａ，２ｂのα面に対する角度Ｂを変更することもできる。これにより、アンテナの偏波面効果による電圧低下を軽減することが容易になる。また、様々な設置場所に設置されることを想定した場合、設置場所における利得変動を抑えることも可能である。
【００１５】
図２は図１中のロッドアンテナの構成を示す図である。図に示すように、ロッドアンテナ２ａは、給電用の同軸ケーブル４の芯線（給電線）６と接続しており、ホット側アンテナとして機能する。一方、ロッドアンテナ２ｂは、給電用の同軸ケーブル４のシールド５と接続して接地されており、地線側アンテナとして機能する。このように構成することにより、ロッドアンテナ２ａ，２ｂにて変形のダイポールアンテナの特性と同等程度の特性を得ることが可能となる。
【００１６】
次に受信装置１における受信感度の調整操作について説明する。
例えば、図３に示すようにある設置場所の壁面７に固定的に設置した場合を考える。また、本実施の形態１による受信装置１は、その筐体ケースの外周面のうち、ロッドアンテナ２ａ，２ｂが支持されたα面に平行な面であるβ面（装置が配置される側の外周面）が壁面７に接するような構成となっている。
【００１７】
ここで、上記設置場所の周囲に電波の回折や反射を引き起こす障害物があると、送信されてきた電波は、理想的な水平偏波や垂直偏波で受信装置１に到達するとは限らず、回折や反射によって偏波面の状態が変化している場合がある。このような場合、ロッドアンテナ２ａ，２ｂが水平偏波や垂直偏波を想定した位置に固定されていると十分な受信感度を得ることができない。そこで、例えばロッドアンテナ２ａ，２ｂについて支持部３ａ，３ｂを中心に回転させることによってその方向Ｃを変更し、現在の受信波に応じた偏波面に調節することができる。
【００１８】
また、壁面７が反射器として作用する場合、放射器であるロッドアンテナ２ａ，２ｂと壁面７との距離Ｄがそのアンテナ特性に影響を及ぼすこととなる。この場合、理論的には、空中線と反射物体との間隔をＳとし、受信電波の波長をλとすると、これらのパラメータがＳ／λ＝０．１５の関係にあるとそのアンテナは最大利得を得ることができる。しかしながら、実際は、アンテナ２ａ，２ｂと壁面７との間の相互インピーダンスなどの影響によりアンテナパターンが崩れ、理想的な利得が得られない場合がある。
【００１９】
そこで、本実施の形態１による受信装置１は、ロッドアンテナ２ａ，２ｂが支持されたα面に平行な面であるβ面が壁面７に接するように構成されており、支持部３ａ，３ｂによってロッドアンテナ２ａ，２ｂの支持面αに対する角度Ｂが変更自在である。従って、支持部３ａ，３ｂを介してロッドアンテナ２ａ，２ｂの角度Ｂを変更することによって、空中線であるアンテナ２ａ，２ｂと反射物体である壁面７との間隔Ｄを調節することができる。これにより、アンテナパターンの歪みを小さくすることができ、ひいてはアンテナ利得を向上させることもできる。
【００２０】
以上のように、この実施の形態１によれば、ホット側アンテナとして機能する長さ方向への伸縮が可能なロッドアンテナ２ａと、一端が接地されて地線側アンテナとして機能する長さ方向への伸縮が可能なロッドアンテナ２ｂと、受信装置１の筐体ケースの外周面のうちの同一平面上に設けられ、当該平面を支持面αとして各アンテナ２ａ，２ｂを回転自在に支持し、且つ各アンテナ２ａ，２ｂの支持面αに対する角度を変更自在に支持する支持部３ａ，３ｂとを設けたので、ロッドアンテナ２ａ，２ｂの長さ、壁面７との距離、方向などの多数のパラメータを調節することができることから、設置場所に囚われず最適な受信状態を得ることができる。
【００２１】
また、この実施の形態１によれば、ロッドアンテナ２ａ，２ｂの支持面であるα面を、装置１を配置する側の外周面であるβ面と平行になるように設けたので、受信特性に影響を与えるパラメータであるアンテナ２ａ，２ｂと壁面７との間隔Ｄを調節することができる。
【００２２】
【発明の効果】
以上のように、この発明によれば、長さ方向への伸縮が可能なロッドアンテナからなり、給電線と接続するホット側アンテナと、長さ方向への伸縮が可能なロッドアンテナからなり、一端が接地された地線側アンテナと、外周面のうちの同一平面上に設けられ、当該平面を支持面として各アンテナを回転自在に支持し、且つ各アンテナの支持面に対する角度を変更自在に支持する支持部とを備えたので、ロッドアンテナの長さ、その方向や支持面に対する角度などの多数のパラメータを調節することができることから、装置の設置場所に囚われず最適な受信状態を得ることができるという効果がある。
【図面の簡単な説明】
【図１】この発明の実施の形態１による受信装置の概要を示す斜視図である。
【図２】図１中のロッドアンテナの構成を示す図である。
【図３】実施の形態１による受信装置の設置例を説明する図である。
【符号の説明】
１  受信装置、２ａ，２ｂ  ロッドアンテナ（ホット側アンテナ、地線側アンテナ）、３ａ，３ｂ  支持部、４  給電用同軸ケーブル、５  シールド、６  芯線（給電線）、７  壁面。
【図１】
2004312172.tif 000003
【図２】
2004312172.tif 000004
【図３】
2004312172.tif 000005